(57)【要約】【課題】バッテリから供給される電力で作動する電気製品を収容する収容室ならびにバッテリを収容するバッテリ収容凹部が形成されるケース本体と、直線的に設定されるスライド方向に沿う一側の閉じ位置でケース本体に係脱可能に係合してバッテリ収容凹部を閉じるとともにケース本体との係合を解除した状態で閉じ位置からスライド方向に沿う他側にスライドすることでケース本体から離脱することを可能としてケース本体に係脱可能に取付けられるバッテリカバーとを備える電気製品収容ケースにおいて、電気製品を収容する収容室へのバッテリ収容凹部側からの露や雨水等の浸入を確実に防止する。【解決手段】収容室３８の外側でバッテリカバー３３を係合させるケース本体３２に、収容室３８がバッテリ収容凹部５０とは隔絶して液密に形成される。【選択図】        図３
2014234656.tif 000002
【特許請求の範囲】
【請求項１】
バッテリ（２８）から供給される電力で作動する電気製品（１６）を収容する収容室（３８）ならびに前記バッテリ（２８）を収容するバッテリ収容凹部（５０）が形成されるケース本体（３２）と、直線的に設定されるスライド方向（５５）に沿う一側の閉じ位置で前記ケース本体（３２）に係脱可能に係合して前記バッテリ収容凹部（５０）を閉じるとともに前記ケース本体（３２）との係合を解除した状態で前記閉じ位置から前記スライド方向（５５）に沿う他側にスライドすることで前記ケース本体（３２）から離脱することを可能として前記ケース本体（３２）に係脱可能に取付けられるバッテリカバー（３３）とを備える電気製品収容ケースにおいて、前記収容室（３８）の外側で前記バッテリカバー（３３）を係合させる前記ケース本体（３２）に、前記収容室（３８）が前記バッテリ収容凹部（５０）とは隔絶して液密に形成されることを特徴とする電気製品収容ケース。
【請求項２】
前記スライド方向（５５）に沿う前記他側に向けて開放する係止凹部（５６）ならびに該係止凹部（５６）の両側に配置される一対の係止部（５７）が、前記バッテリ収容凹部（５０）の前記スライド方向（５５）に沿う前記一側に配置されるようにして前記ケース本体（３２）に設けられ、前記バッテリカバー（３３）の少なくとも前記スライド方向（５５）に沿う前記一側の端部が、前記閉じ位置での外部からの押圧力作用に応じて内方側に撓むことを可能として形成され、前記バッテリカバー（３３）の前記スライド方向（５５）に沿う前記一側の端部に、外力の非作用状態にある前記バッテリカバー（３３）が前記閉じ位置にあるときに一対の前記係止部（５７）に係合して前記スライド方向（５５）に沿う前記他側への前記バッテリカバー（３３）の移動を規制するものの前記外部からの押圧力作用に応じて前記係止部（５７）との係合を解除する一対の係合爪（５８）が設けられるとともに、外力の非作用状態にある前記バッテリカバー（３３）が前記閉じ位置にあるときに前記係止凹部（５６）に係合して前記スライド方向（５５）と直交する方向で前記バッテリカバー（３３）が前記ケース本体（３２）から離脱する側に移動することを規制する係合突部（５９）が設けられ、前記係止凹部（５６）には、前記閉じ位置で前記バッテリカバー（３３）の前記一側の端部に外部からの押圧力が作用したときには前記バッテリカバー（３３）を前記閉じ位置から前記スライド方向（５５）に沿う他側に移動させるようにして前記スライド方向（５５）に対して傾斜したガイド面（５６ａ）が前記係合突部（５９）に当接するようにして形成されることを特徴とする請求項１記載の電気製品収容ケース。
【発明の詳細な説明】
【技術分野】
【０００１】
本発明は、バッテリから供給される電力で作動する電気製品を収容する収容室ならびに前記バッテリを収容するバッテリ収容凹部が形成されるケース本体と、直線的に設定されるスライド方向に沿う一側の閉じ位置で前記ケース本体に係脱可能に係合して前記バッテリ収容凹部を閉じるとともに前記ケース本体との係合を解除した状態で前記閉じ位置から前記スライド方向に沿う他側にスライドすることで前記ケース本体から離脱することを可能として前記ケース本体に係脱可能に取付けられるバッテリカバーとを備える電気製品収容ケースに関する。
【背景技術】
【０００２】
バッテリから供給される電力で作動する電気錠を収容する収容室と、バッテリを収容するバッテリ収容凹部とがケース本体に形成され、バッテリ収容凹部を閉じるバッテリカバーがケース本体に係脱可能に取付けられるようにしたものが、たとえば特許文献１で開示されている。
【先行技術文献】
【特許文献】
【０００３】
【特許文献１】意匠登録第１３４２２１４号公報
【発明の概要】
【発明が解決しようとする課題】
【０００４】
ところが、上記特許文献１で開示されたものでは、バッテリ収容凹部を閉じるカバーに設けられた係合爪を係合させるための係合孔が、電気錠を収容する収容室に内端を開口するようにしてケース本体に形成されており、その係合孔から前記収容室に雨水等の浸入の可能性がある。
【０００５】
本発明は、かかる事情に鑑みてなされたものであり、電気製品を収容する収容室へのバッテリ収容凹部側からの露や雨水等の浸入を確実に防止し得るようにした電気製品収容ケースを提供することを目的とする。
【課題を解決するための手段】
【０００６】
上記目的を達成するために、本発明は、バッテリから供給される電力で作動する電気製品を収容する収容室ならびに前記バッテリを収容するバッテリ収容凹部が形成されるケース本体と、直線的に設定されるスライド方向に沿う一側の閉じ位置で前記ケース本体に係脱可能に係合して前記バッテリ収容凹部を閉じるとともに前記ケース本体との係合を解除した状態で前記閉じ位置から前記スライド方向に沿う他側にスライドすることで前記ケース本体から離脱することを可能として前記ケース本体に係脱可能に取付けられるバッテリカバーとを備える電気製品収容ケースにおいて、前記収容室の外側で前記カバーを係合させる前記ケース本体に、前記収容室が前記バッテリ収容凹部とは隔絶して液密に形成されることを第１の特徴とする。
【０００７】
また本発明は、第１の特徴の構成に加えて、前記スライド方向に沿う前記他側に向けて開放する係止凹部ならびに該係止凹部の両側に配置される一対の係止部が、前記バッテリ収容凹部の前記スライド方向に沿う前記一側に配置されるようにして前記ケース本体に設けられ、前記バッテリカバーの少なくとも前記スライド方向に沿う前記一側の端部が、前記閉じ位置での外部からの押圧力作用に応じて内方側に撓むことを可能として形成され、前記バッテリカバーの前記スライド方向に沿う前記一側の端部に、外力の非作用状態にある前記バッテリカバーが前記閉じ位置にあるときに一対の前記係止部に係合して前記スライド方向に沿う前記他側への前記バッテリカバーの移動を規制するものの前記外部からの押圧力作用に応じて前記係止部との係合を解除する一対の係合爪が設けられるとともに、外力の非作用状態にある前記バッテリカバーが前記閉じ位置にあるときに前記係止凹部に係合して前記スライド方向と直交する方向で前記バッテリカバーが前記ケース本体から離脱する側に移動することを規制する係合突部が設けられ、前記係止凹部には、前記閉じ位置で前記バッテリカバーの前記一側の端部に外部からの押圧力が作用したときには前記バッテリカバーを前記閉じ位置から前記スライド方向に沿う他側に移動させるようにして前記スライド方向に対して傾斜したガイド面が前記係合突部に当接するようにして形成されることを第２の特徴とする。
【発明の効果】
【０００８】
本発明の第１の特徴によれば、バッテリカバーは収容室の外側でケース本体に係合され、電気製品を収容する収容室が気密に形成されるので、バッテリ収容凹部側から収容室内に露や雨水が浸入することを確実に防止することができる。
【０００９】
また本発明の第２の特徴によれば、閉じ位置にあるバッテリカバーの少なくともスライド方向に沿う一側の端部に外部から押圧力を作用させて内方に撓ませると、バッテリカバーが備える一対の係合爪のケース本体側の係止部への係合が解除されるとともに、バッテリカバー側の係合突部にケース本体側の係止凹部のガイド面が当接していることによってバッテリカバーがスライド方向で閉じ位置から他側にスライドして係合突部が係止凹部から離脱するので、バッテリカバーをケース本体から離脱させてバッテリ収容凹部を開放することが可能となり、バッテリ収容凹部を開放する際にバッテリカバーに押圧力を作用させるだけですむので、バッテリカバーの開放操作が容易となる。
【図面の簡単な説明】
【００１０】
【図１】住宅用ドアの一部を示す斜視図である。
【図２】電気錠の構成を示すブロック図である。
【図３】図１の３−３線断面図である。
【図４】ケース本体およびカバーの分解斜視図である。
【図５】カバーを内方側から見た斜視図である。
【図６】図３の６−６線断面図である。
【図７】図６の７−７線断面図である。
【発明を実施するための形態】
【００１１】
以下、本発明の実施の形態について図１〜図７を参照しながら説明すると、先ず図１において、住宅用ドアＤには、外部からの機械的な操作で施錠および解錠を切換可能としたロック機構１２が設けられており、このロック機構１２は、外部からの操作を可能としたシリンダ錠１３と、該シリンダ錠１３が備えるロータ（図示せず）の回動に応じて作動するデッドボルト１４とを備え、前記デッドボルト１４は、前記住宅用ドアＤの端縁に取付けられた化粧カバー１５から前記ロータの回動に応じて出没する。
【００１２】
また前記住宅用ドアＤの内面の前記シリンダ錠１３に対応する部分には、電気製品である電気錠１６を収容する電気製品収容ケースとしての電気錠ケース１７が、たとえば後付けで取付けられており、この電気錠１６は、前記シリンダ錠１３の前記ロータに連動、連結され、携帯器２０から送信される無線信号によって前記ロータを回動せしめて前記ロック機構１２のロック状態およびアンロック状態を切換可能である。また前記電気錠ケース１７の前記住宅用ドアＤとは反対側の面には、前記ロータに連結されるサムターン１８が突出される。
【００１３】
前記携帯器２０には、前記ロック機構１２をアンロック状態からロック状態とするための無線信号を送信するためのロックボタン２９と、前記ロック機構１２をロック状態からアンロック状態とするための無線信号を送信するためのアンロックボタン３０とが設けられるとともに、図示しないＬＥＤを点灯表示させるための表示窓３１とが設けられ、前記ＬＥＤは、緑色点灯状態および赤色点灯状態を切換えて点灯することが可能である。
【００１４】
また前記携帯器２０は、前記シリンダ錠１３を回動操作し得るメカニカルキー１９を、そのメカニカルキー１９の一部もしくは全部を携帯器２０に収容した状態で保持することができ、前記メカニカルキー１９の一部もしくは全部が収容されているか否かを検知する検知器が前記携帯器２０内に配設される。また前記携帯器２０は、その内部に収容されるボタン電池等の電池の残量を検知することも可能である。
【００１５】
前記ＬＥＤは、前記メカニカルキー１９の一部もしくは全部が収容されていて前記電池の残量が所定量以上であるときには、前記ロックボタン２９および前記アンロックボタン３０の操作に応じて緑色で１回点灯し、前記メカニカルキー１９の一部もしくは全部が収容されていて前記電池の残量が所定量未満であるときには、前記ロックボタン２９および前記アンロックボタン３０の操作に応じて赤色で１回点灯し、前記メカニカルキー１９の一部もしくは全部が収容されていないときには前記ロックボタン２９および前記アンロックボタン３０の操作に応じて赤色で３回点灯する。このように前記ＬＥＤの点灯態様を変化させることで携帯器２０に収容されている電池の残量の有無をユーザーが判断することができるとともに、メカニカルキー１９が収容されていないことをユーザーに判らせることができる。
【００１６】
図２において、前記電気錠１６は、ボタン操作による前記携帯器２０からの施錠および解錠を指示する無線信号を受信するアンテナ２２を有する受信部２３と、前記ロック機構１２の施錠状態および解錠状態を切換える動力を発揮する電動モータ２４ならびに前記デッドボルト１４もしくは該デッドボルト１４に連動して作動する部材の位置を検出する位置検出スイッチ２５を含むアクチュエータ２６と、前記受信部２３および前記位置検出スイッチ２５からの信号を受けて前記電動モータ２４の作動を制御するＥＣＵ２７とを備える。前記ＥＣＵ２７および前記電動モータ２４にはバッテリ２８から電力が供給され、該バッテリ２８も前記電気錠ケース１７に収容される。
【００１７】
図３において、前記電気錠ケース１７は、ケース本体３２と、該ケース本体３２に係脱可能に取付けられる合成樹脂製のバッテリカバー３３とを備える。前記ケース本体３２は、前記住宅用ドアＤ側に開放した合成樹脂製のケース部材３４と、そのケース部材３４の開放端の全周に密接に当接する合成樹脂製の蓋板３５と、該蓋板３５を前記ケース部材３４との間に挟む金属製のブラケット板３６とで構成され、前記ケース部材３４および前記蓋板３５に挿通される複数個たとえば２個のボルト３７を前記ブラケット板３６に螺合して締めつけることで、前記ケース部材３４、前記蓋板３５および前記ブラケット板３６によって前記ケース本体３２が構成される。
【００１８】
前記ケース部材３４の開放端の全周には、突部３４ａが一体に突設されており、前記蓋板３５の外周部にその全周にわたって形成される嵌合凹部３５ａに前記突部３４ａを嵌合させることで、前記ケース部材３４の開放端の前記蓋板３５への当接部での液密性が確保される。
【００１９】
前記ケース部材３４および前記蓋板３５間には、前記電気錠１６を収容する収容室３８が形成される。この収容室３８には、前記電気錠１６のうち前記受信部２３および前記ＥＣＵ２７が配設される基板３９と、前記電気錠１６のうち前記電動モータ２４、前記位置検出スイッチ２５および前記アクチュエータ２６を収容して前記基板３９の前記蓋板３５側に配置されるアクチュエータ収容ケース４０とが収容、固定される。前記蓋板３５には前記アクチュエータ収容ケース４０の一部を臨ませる開口部４１が形成されるが、前記ブラケット板３６で前記開口部４１が閉じられる。
【００２０】
また前記電動モータ２４に対応する部分で前記基板３９には、ＬＥＤ４２が取付けられる。前記ケース部材３４の前記ＬＥＤ４２に対応する位置には透孔４３が設けられており、前記ＬＥＤ４２を覆うように配置されるレンズ４４が、その一部を前記透孔４３に嵌合するようにして前記ケース部材３４に取付けられる。
【００２１】
前記ＬＥＤ４２は、緑色点灯状態および赤色点灯状態を切換えて点灯することが可能であり、前記ＥＣＵ２７は、前記バッテリ２８の電池残量を検知可能であるとともに、その電池残量ならびに前記携帯器２０からのロック信号およびアンロック信号の受信に応じて前記ＬＥＤ４２の点灯態様を変化させる。たとえば、前記バッテリ２８の電池残量が最大域にあるときに、前記ＥＣＵ２７は、ロック信号の受信に応じて前記ＬＥＤ４２を緑色で１回点灯させ、前記アンロック信号の受信に応じて前記前記ＬＥＤ４２を緑色で２回点滅させる。また前記バッテリ２８の電池残量が前記アクチュエータ２６を作動させることができる程度に前記最大域から低下したときに、前記ＥＣＵ２７は、ロック信号の受信に応じて前記ＬＥＤ４２を緑色で１回点灯させた後に赤色で３回点滅させ、アンロック信号の受信に応じて前記ＬＥＤ４２を緑色で２回点滅させた後に赤色で３回点滅させる。さらに前記バッテリ２８の電池残量が前記アクチュエータ２６を作動させることができない程度に低下したときに、前記ＥＣＵ２７は、ロック信号およびアンロック信号の受信に応じて前記ＬＥＤ４２をそれぞれ赤色で３秒間に持続して点灯させる。
【００２２】
このように前記ＬＥＤ４２の点灯態様を変化させることでバッテリ２８の残量の有無をユーザーが判断することが可能となる。
【００２３】
ところで前記ＬＥＤ４２とともに用いるか、もしくは前記ＬＥＤ４２に代えて用いるようにして前記基板３９にブザーが設けられるようにしてもよく、この場合、前記ＥＣＵ２７は、前記バッテリ２８の電池残量が最大域にあるときにはロック信号の受信に応じて前記ブザーを「ピ」と１回だけ鳴動させるとともにアンロック信号の受信に応じて「ピピ」と断続して２回鳴動させ、前記バッテリ２８の電池残量が前記アクチュエータ２６を作動させることができる程度に前記最大域から低下したときにはロック信号の受信に応じて前記ブザーを「ピ」と１回だけ鳴動させた後に「ピピピ」と断続して３回鳴動させるとともにアンロック信号の受信に応じて「ピピ」と断続して２回鳴動させた後に「ピピピ」と断続して３回鳴動させ、前記バッテリ２８の電池残量が前記アクチュエータ２６を作動させることができない程度に低下したときにはロック信号およびアンロック信号の受信に応じて前記ブザーを「ピー」と長く３秒間持続するように鳴動させるようにしてもよい。
【００２４】
前記電動モータ２４は、左右方向に延びる水平な回転軸線を有して前記アクチュエータ収容ケース４０内に収容、固定される。また前記アクチュエータ２６は、電気錠１６からの動力を前記ロック機構１２側に伝達する伝動軸４５および前記電動モータ２４間に減速ギヤ機構が設けられて成るものであり、前記伝動軸４５は、前記電動モータ２４の回転軸線を含む鉛直平面に直交する中心軸線を有して前記アクチュエータ収容ケース４０に回転自在に支承される。
【００２５】
前記伝動軸４５には、前記電気錠１６からの動力を前記ロック機構１２側に伝達するための連結軸４６が、前記伝動軸４５を同軸に貫通して該伝動軸４５に相対回転不能に連結される。前記ケース本体３２における前記ケース部材３４から前記住宅用ドアＤとは反対側に向けて突出する前記伝動軸４５の突出端部には、前記サムターン１８が相対回転不能に装着され、そのサムターン１８の一部を液密に収容する凹部４７が前記ケース部材３４に形成される。
【００２６】
ところで前記電気錠ケース１７の一部を構成する前記蓋板３５および前記ブラケット板３６の外面は、前記住宅用ドアＤの内面側に臨むものであり、前記蓋板３５の外周の全周には、前記住宅用ドアＤの内面に弾発的に当接することで前記電気錠ケース１７および前記住宅用ドアＤ間に露等が浸入するのを防止するためのスカート部３５ｂが一体に形成される。
【００２７】
前記ブラケット板３６を回転自在に貫通して前記住宅用ドアＤ側に突出する前記連結軸４６を囲む筒状の支持部材４８が、前記ブラケット板３６に当接されており、前記住宅用ドアＤと反対側から前記ブラケット板３６に挿通される一対のねじ部材４９が前記支持部材４８に螺合される。この支持部材４８は、前記住宅用ドアＤ内の前記ロック機構１２にに固定され、それによって前記ブラケット板３６すなわち電気錠ケース１７が住宅用ドアＤに固定されることになる。
【００２８】
前記ケース本体３２の前記ケース部材３４には、前記住宅用ドアＤとは反対側に開放する矩形のバッテリ収容凹部５０が、前記サムターン１８よりも上方で前記ケース部材３４の上半部に位置するようにして形成されており、前記バッテリ収容凹部５０には、たとえば長手方向を上下方向として左右方向に並ぶ４個の前記バッテリ２８が収容される。
【００２９】
図４を併せて参照して、前記ケース部材３４には、前記バッテリ収容凹部５０を形成するために、前記サムターン１８のわずかに上方に側に配置される下端壁部３４ｂと、前記ケース部材３４の上部壁を構成するようにして前記下端壁部３４ｂに上方から対向する上端壁部３４ｃと、前記下端壁部３４ｂおよび前記上端壁部３４ｃの左右両端間を結ぶ一対の側壁部３４ｄ，３４ｄと、前記バッテリ収容凹部５０の閉塞端壁を形成するようにして前記下端壁部３４ｂ、前記上端壁部３４ｃおよび前記側壁部３４ｄ，３４ｄの内端部を連結する底壁部３４ｅとが一体に形成される。
【００３０】
しかも前記上端壁部３４ｃおよび前記側壁部３４ｄ，３４ｄは、前記ケース部材３４における上半部の開放端側外面との間に前記住宅用ドアＤとは反対側に臨む段部３４ｆを形成するようにして前記カバー部材３４に一体に設けられる。
【００３１】
前記下端壁部３４ｂおよび前記上端壁部３４ｃには、前記バッテリ２８のプラス側に当接、接続されるプラス側端子５１と、前記バッテリ２８のマイナス側に当接、接続されるマイナス側端子５２とが、前記バッテリ２８の配列方向で交互に配置されるようにして固定されており、それらのプラス側端子５１およびマイナス側端子５２に連なるバスバー（図示せず）は、前記収容室３８側に延びるようにしつつ前記底壁部３４ｅを液密に貫通するようにして前記ケース部材３４にモールド結合される。
【００３２】
図５を併せて参照して、前記バッテリカバー３３は、たとえば前記バッテリ収容凹部５０内の前記バッテリ２８の長手方向に沿うようにしてたとえば上下方向に直線的に設定されるスライド方向５５に沿う一側（この実施の形態では下側）の閉じ位置で前記ケース本体３２に係脱可能に係合して前記バッテリ収容凹部５０を閉じるとともに前記ケース本体３２との係合を解除した状態で前記閉じ位置から前記スライド方向５５に沿う他側（この実施の形態では上側）にスライドすることで前記ケース本体３２から離脱することを可能として前記ケース本体３２に係脱可能に取付けられる。
【００３３】
前記バッテリカバー３３は、前記ケース部材３４における上端壁部３４ｃに上方から対向し得る端壁部３３ａと、前記ケース部材３４における側壁部３４ｄ，３４ｄに外側方から対向し得るようにして前記端壁部３３ａの左右両端に連なる側壁部３３ｂ，３３ｂと、前記バッテリ収容凹部５０を覆うようにして前記端壁部３３ａおよび前記側壁部３３ｂ，３３ｂに連なるカバー板部３３ｃとを一体に有しており、このバッテリカバー３３の少なくとも前記スライド方向５５に沿う前記一側の端部が外部からの押圧力作用に応じて内方側に撓むことを可能として形成される。すなわち前記バッテリカバー３３における前記カバー板部３３ｃの幅方向中央部には、サムターン１８側すなわち下方側に向かうにつれて膨出量が大きくなるようにして外方に膨出する膨出部３３ｃａが形成されており、この膨出部３３ｃａの中間部が撓まないようにするために幅方向に延びる一対のリブ３３ｄ，３３ｄが上下方向に間隔をあけて前記膨出部３３ｃａの内面に一体に突設される。これによって前記膨出部３３ｃａの前記スライド方向５５に沿う前記一側の端部を外部から押圧力を作用させることによって内方側に撓ませることが可能となる。
【００３４】
図６および図７を併せて参照して、前記ケース本体３２における前記ケース部材３４ににおいて前記バッテリ収容凹部５０の前記スライド方向５５に沿う前記一側（下側）には、前記スライド方向５５に沿う前記他側（上側）に向けて開放する第１の係止凹部５６と、第１の係止凹部５６の両側に配置される一対の係止部５７，５７とが設けられる。
【００３５】
第１の係止凹部５６は、前記サムターン１８の一部を挿入する前記凹部４７を形成するようにして前記ケース部材３４が一体に備える筒状側壁３４ｇの外周のうち前記バッテリ収容凹部５０に臨む部分に、前記スライド方向５５に沿うようにして形成され、第１の係止凹部５６が前記電気錠１６を収容する収容室３８に開口することはなく、前記収容室３８は、前記バッテリ収容凹部５０とは隔絶して液密に形成されることになる。また前記係止部５７，５７は、前記突状側壁３４ｇの外方に配置されるようにして前記ケース部材３４に一体に突設される。
【００３６】
一方、前記バッテリカバー３３における前記膨出部３３ｃａの前記スライド方向５５に沿う前記一側の端部には、外力の非作用状態にある前記バッテリカバー３３が前記閉じ位置にあるときに一対の前記係止部５７，５７に係合して前記スライド方向５５に沿う前記他側への前記バッテリカバー３３の移動を規制するものの前記外部からの押圧力作用に応じて前記係止部５７，５７との係合を解除する一対の係合爪５８，５８が設けられるとともに、外力の非作用状態にある前記バッテリカバー３３が前記閉じ位置にあるときに第１の係止凹部５６に係合して前記スライド方向５５と直交する方向で前記バッテリカバー３３が前記ケース本体３２から離脱する側に移動することを規制する第１の係合突部５９が設けられる。
【００３７】
一対の前記係合爪５８，５８は、前記係止部５７，５７に外側方から係合するように形成されるものであり、図７の鎖線で示すように、前記スライド方向５５に沿う前記一側で前記膨出部３３ｃａの端部に外部から押圧力を作用させて該膨出部３３ｃａを内方側に撓ませると、前記係合爪５８，５８相互の間隔が広がるように前記膨出部３３ｃａが変形するのに応じて前記係合爪５８，５８の前記係止部５７，５７への係合が解除される。
【００３８】
また前記バッテリカバー３３の両側壁３３ｂ，３３ｂにおける前記スライド方向５５に沿う一側寄りの部分には、突起６０，６０が一体に突設されており、前記ケース部材３４における前記段部３４ｆには、前記バッテリカバー３３が前記閉じ位置に在るときに前記突起６０，６０を嵌合させる嵌合凹部６１，６１が形成され、それらの嵌合凹部６１，６１は、前記バッテリカバー３３が前記閉じ位置から前記スライド方向５５に沿う他側に所定距離移動するのを許容するようにして、前記スライド方向５５で前記突起６０，６０の長さよりも長く形成される。
【００３９】
前記バッテリカバー３３が前記閉じ位置に在る状態で前記スライド方向５５に沿う前記一側で前記膨出部３３ｃａの端部に外部から押圧力を作用させたときに、前記突起６０，６０が前記嵌合凹部６１，６１に嵌合していることで前記バッテリカバー３３の側壁３３ｂ，３３ｂが外側方に撓むことは阻止され、前記膨出部３３ｃａだけが内方側に撓むことになる。
【００４０】
第１の係止凹部５６には、前記閉じ位置にある前記バッテリカバー３３の前記スライド方向５５に沿う前記一側の端部への外力の作用方向に対向する方向に臨むガイド面５６ａが、外力の作用方向に向かうにつれて前記スライド方向５５に沿う他側に位置するように傾斜したガイド面５６ａが形成されており、このガイド面５６ａに、前記係合突部５９が有する当接面５９ａが当接する。このような構成によれば、前記閉じ位置で前記バッテリカバー３３の前記一側の端部に外部からの押圧力が作用したときには前記ガイド面５６ａが前記バッテリカバー３３を前記閉じ位置から前記スライド方向５５に沿う他側に移動させることになり、前記突起６０および前記嵌合凹部６１の前記スライド方向５５に沿う相対長さは、前記バッテリカバー３３の前記閉じ位置から前記スライド方向５５に沿う他側への移動を許容するように設定される。
【００４１】
また前記バッテリカバー３３における前記端壁部３３ａには、一対の第２の係合突部６２，６２が、前記スライド方向５５に沿う前記一側に向けて突出するようにして一体に突設されており、第２の係合突部６２，６２を係合させる第２の係止凹部６３，６３が、前記ケース部材３４における上端壁部３４ｂの外面に形成される。
【００４２】
前記バッテリカバー３３が前記閉じ位置にある状態で第２の係合突部６２，６２は第２の係止凹部６３，６３に係合されており、それによって前記スライド方向５５と直交する方向で前記バッテリカバー３３が前記ケース本体３２から離脱する側に移動することが規制されるのであるが、前記閉じ位置で前記バッテリカバー３３の前記一側の端部に外部からの押圧力が作用したときに前記ガイド面５６ａが前記バッテリカバー３３を前記閉じ位置から前記スライド方向５５に沿う他側に移動させるのに応じて、第２の係合突部６２，６２は第２の係止凹部６３，６３から離脱する。
【００４３】
次にこの実施の形態の作用について説明すると、電気錠１６を収容する収容室３８の外側でバッテリカバー３３を係合させるケース本体３２に、前記収容室３８が前記バッテリ収容凹部５０とは隔絶して液密に形成されるので、収容室３８内にバッテリ収容凹部５０側から露や雨水が浸入することを確実に防止することができる。
【００４４】
またバッテリ収容凹部５０を閉じるバッテリカバー３３は、直線的に設定されるスライド方向５５に沿う一側の閉じ位置でケース本体３２に係脱可能に係合してバッテリ収容凹部５０を閉じるとともに前記ケース本体３２との係合を解除した状態で前記閉じ位置から前記スライド方向５５に沿う他側にスライドすることで前記ケース本体３２から離脱することを可能として前記ケース本体３２に係脱可能に取付けられるのであるが、前記スライド方向５５に沿う前記他側に向けて開放する第１の係止凹部５６ならびに第１の係止凹部５６の両側に配置される一対の係止部５７，５７が、前記バッテリ収容凹部５５の前記スライド方向５５に沿う前記一側に配置されるようにして前記ケース本体３２のケース部材３４に設けられ、前記バッテリカバー３３の少なくとも前記スライド方向５５に沿う前記一側の端部が、前記閉じ位置での外部からの押圧力作用に応じて内方側に撓むことを可能として形成され、前記バッテリカバー３３の前記スライド方向５５に沿う前記一側の端部に、外力の非作用状態にある前記バッテリカバー３３が前記閉じ位置にあるときに一対の前記係止部５７，５７に係合して前記スライド方向に沿う前記他側への前記バッテリカバー３３の移動を規制するものの前記外部からの押圧力作用に応じて前記係止部５７，５７との係合を解除する一対の係合爪５８，５８が設けられるとともに、外力の非作用状態にある前記バッテリカバー３３が前記閉じ位置にあるときに第１の係止凹部５６に係合して前記スライド方向５５と直交する方向で前記バッテリカバー３３が前記ケース本体３２から離脱する側に移動することを規制する第１の係合突部５９が設けられ、第１の係止凹部５６には、前記閉じ位置で前記バッテリカバー３３の前記一側の端部に外部からの押圧力が作用したときには前記バッテリカバー３３を前記閉じ位置から前記スライド方向５５に沿う他側に移動させるようにして前記スライド方向５５に対して傾斜したガイド面５６ａが第１の係合突部５９に当接するようにして形成される。
【００４５】
したがって閉じ位置にあるバッテリカバー３３の少なくともスライド方向５５に沿う一側の端部に外部から押圧力を作用させて内方に撓ませると、バッテリカバー３３が備える一対の係合爪５８，５８のケース本体３２側の係止部５７，５７への係合が解除されるとともに、バッテリカバー３３側の第１の係合突部５９にケース本体３２側の第１の係止凹部５６のガイド面５６ａが当接していることによってバッテリカバー３３がスライド方向５５で閉じ位置から他側にスライドして第１の係合突部５９が第１の係止凹部５６から離脱することになる。それによりバッテリカバー３３をケース本体３２から離脱させてバッテリ収容凹部５０を開放することが可能となり、バッテリ収容凹部５０を開放する際にバッテリカバー３３に押圧力を作用させるだけですむので、バッテリカバー３３の開放操作が容易となる。
【００４６】
以上、本発明の実施の形態について説明したが、本発明は上記実施の形態に限定されるものではなく、特許請求の範囲に記載された本発明を逸脱することなく種々の設計変更を行うことが可能である。
【００４７】
たとえば上記実施の形態では、住宅用の後付けの電気錠１６を収容する電気錠ケース１７について説明したが、たとえばテレビのリモコンや、携帯電話等に本発明を広く適用することができる。
【符号の説明】
【００４８】
１６・・・電気製品である電気錠
１７・・・電気製品収容ケースである電気錠ケース
２８・・・バッテリ
３２・・・ケース本体
３３・・・バッテリカバー
３８・・・収容室
５０・・・バッテリ収容凹部
５５・・・スライド方向
５６・・・係止凹部
５６ａ・・・ガイド面
５７・・・係止部
５８・・・係合爪
５９・・・係合突部
【図１】
2014234656.tif 000003
【図２】
2014234656.tif 000004
【図３】
2014234656.tif 000005
【図４】
2014234656.tif 000006
【図５】
2014234656.tif 000007
【図６】
2014234656.tif 000008
【図７】
2014234656.tif 000009